(57)【要約】【課題】電圧監視用の配線が破断した場合に短絡事故の発生を防止する。【解決手段】複数の薄板状の電池セル１０が積み重ねられ且つ直列に接続された電池積層体２０から複数の電圧監視用の配線２２が導出されている。複数の配線２２は、回路基板４０の電池積層体２０とは反対側の面に設けられた複数の端子４２にそれぞれ接続されている。端子４２及び配線２２を覆うカバー５０に立設された仕切板５１が複数の空間５５を画定している。複数の配線２２のそれぞれの一部が複数の空間５５のそれぞれに収納されている。【選択図】図８
2014235933.tif 000002
【特許請求の範囲】
【請求項１】
複数の薄板状の電池セルが積み重ねられ且つ前記複数の電池セルが直列に接続された電池積層体と、
前記電池積層体とは反対側の面に複数の端子が設けられた回路基板と、
前記電池積層体から導出され且つ前記複数の端子にそれぞれ電気的に接続された複数の電圧監視用の配線と、
前記複数の端子及び前記複数の配線を少なくとも覆うカバーとを備えた電池パックであって、
前記カバーに仕切板が立設されており、
前記仕切板によって複数の空間が画定され、
前記複数の端子に接続された前記複数の配線のそれぞれの一部が、前記複数の空間のそれぞれに収納されていることを特徴とする電池パック。
【請求項２】
前記複数の端子が一直線上に配置されており、
前記仕切板は、前記一直線と平行な方向に沿って互いに離間して複数個配置されている請求項１に記載の電池パック。
【請求項３】
前記複数の仕切板をつなぐ、前記一直線と平行な衝立板が、前記カバーに立設されている請求項２に記載の電池パック。
【請求項４】
前記回路基板に、前記回路基板と平行な方向における前記配線の位置を規制する位置規制機構が形成されている請求項１〜３のいずれかに記載の電池パック。
【発明の詳細な説明】
【技術分野】
【０００１】
本発明は、複数の薄板状の電池セルが積み重ねられた電気積層体と回路基板とを備えた電池パックに関する。
【背景技術】
【０００２】
リチウムイオン二次電池に代表される非水電解質電池は、エネルギー密度が高いという特徴から、自動車やバイク等の各種移動機器、携帯情報端末、無停電電源装置（ＵＰＳ（Uninterruptible Power Supply））、蓄電装置等の電源として利用されている。このような用途において、エネルギー密度を更に向上させるため、可撓性を有するラミネートシートで発電要素を外装した薄板状のラミネート形リチウムイオン二次電池が多く使用されている。更に、所望する電池容量を得るために、複数の薄板状の二次電池（電池セル）を積み重ねてこれらを直列に接続した電池積層体も実用されている（例えば特許文献１参照）。
【０００３】
複数の電池セルを積層した電池積層体は回路基板とともに筐体内に収納されて電池パックとなる。回路基板には、保護回路が搭載されている。保護回路は、電池積層体を構成する各電池セルの電圧をモニタし、異常を検知すると電池積層体と外部との電気的接続を遮断する。各電池セルの電圧をモニタするために、隣り合う電池セルの電気的に接続された正極タブと負極タブとの接続部分に、電圧監視用の配線（ワイヤ）が接続される。この配線の末端は、回路基板に設けられた端子に接続される（例えば特許文献２参照）。
【先行技術文献】
【特許文献】
【０００４】
【特許文献１】特特許第４４９９９７７号明細書
【特許文献２】特開２０１２−８９４７０号公報
【発明の概要】
【発明が解決しようとする課題】
【０００５】
一般に、電池パックには、複数の電圧監視用の配線が設けられている。回路基板上に一直線に沿って配置された複数の端子に、当該複数の配線が順次接続される。電池パックの搬送時や使用時に振動や衝撃が加えられることによって、配線が破断することがある。この場合、破断した配線が、近傍の配線や端子に接触し短絡する可能性がある。短絡は、電池セルの異常発熱を生じさせ、最悪の場合には発煙や発火に至る。
【０００６】
本発明は、電圧監視用の配線が破断しても短絡事故が生じる可能性が低減された、安全性の高い電池パックを提供することを目的とする。
【課題を解決するための手段】
【０００７】
本発明の電池パックは、複数の薄板状の電池セルが積み重ねられ且つ前記複数の電池セルが直列に接続された電池積層体と、前記電池積層体とは反対側の面に複数の端子が設けられた回路基板と、前記電池積層体から導出され且つ前記複数の端子にそれぞれ電気的に接続された複数の電圧監視用の配線と、前記複数の端子及び前記複数の配線を少なくとも覆うカバーとを備える。前記カバーに仕切板が立設されている。前記仕切板によって複数の空間が画定されている。前記複数の端子に接続された前記複数の配線のそれぞれの一部が、前記複数の空間のそれぞれに収納されている。
【発明の効果】
【０００８】
本発明では、各配線の一部が仕切板によって画定された空間内に収納されている。従って、配線が破断しても、配線が仕切板の変位を制限するので、破断した配線が当該配線に対応する空間より外にはみ出して、隣の配線等に接触することはない。その結果、本発明によれば、電圧監視用の配線が破断しても短絡事故が生じる可能性が低減された、安全性の高い電池パックを提供することができる。
【図面の簡単な説明】
【０００９】
【図１】図１Ａは、本発明の一実施形態にかかる電池パックを構成する電池セルの正面側から見た斜視図、図１Ｂは、その背面側から見た斜視図である。
【図２】図２は、本発明の一実施形態にかかる電池パックを構成する電池積層体の分解斜視図である。
【図３】図３は、本発明の一実施形態にかかる電池パックを構成する電池積層体の斜視図である。
【図４】図４は、本発明の一実施形態にかかる電池パックの斜視図である。
【図５】図５は、本発明の一実施形態にかかる電池パックの分解斜視図である。
【図６】図６は、本発明の一実施形態にかかる電池パックを構成する回路基板の平面図である。
【図７】図７は、本発明の一実施形態にかかる電池パックを構成するカバーの下面側から見た斜視図である。
【図８】図８は、本発明の一実施形態にかかる電池パックにおいて、カバーに形成された仕切板間の空間内に収納された電圧監視用の配線を示した切り欠き斜視図である。
【図９】図９は、比較例にかかる電池パックを構成するカバーの下面側から見た斜視図である。
【図１０】図１０は、比較例にかかる電池パックにおいて、カバーに形成された仕切板間の空間内に収納された電圧監視用の配線を示した切り欠き斜視図である。
【図１１】図１１は、図１０に示した比較例にかかる電池パックにおいて、破断した配線が隣の配線に短絡している状態を示した切り欠き斜視図である。
【図１２】図１２は、図８に示した本発明の一実施形態にかかる電池パックにおいて、配線が破断した状態を示した切り欠き斜視図である。
【発明を実施するための形態】
【００１０】
本発明の上記の電池パックにおいて、前記複数の端子が一直線上に配置されていてもよい。この場合、前記仕切板は、前記一直線と平行な方向に沿って互いに離間して複数個配置されていることが好ましい。複数の端子を一直線上に配置することにより、電圧監視用の複数の配線を、電池積層体から複数の端子に、互いに接触することなく案内することができる。このような場合に、複数の仕切板を、複数の端子の配置方向と平行に、互いに離間して配置することにより、複数の配線のうちの１つが破断しても、破断した配線が隣の配線と短絡する可能性を、簡単な仕切板の構成で効率よく低減することができる。
【００１１】
上記において、前記複数の仕切板をつなぐ、前記一直線と平行な衝立板が、前記カバーに立設されていてもよい。これにより、破断した配線が回路基板上の各種部品や配線回路と短絡するのを衝立板が防止する。従って、配線の破断によって短絡事故が発生する可能性を更に低減することができる。
【００１２】
前記回路基板に、前記回路基板と平行な方向における前記配線の位置を規制する位置規制機構が形成されていてもよい。これにより、破断した配線の位置を位置規制機構が規制するので、破断した配線が当該配線に対応する空間より外にはみ出して、隣の配線等に接触する可能性を更に低減することができる。
【００１３】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。また、以下の各図では、実際の部材の寸法および各部材の寸法比率等が忠実に表されていない。
【００１４】
＜電池セル＞
本発明の一実施形態にかかる電池パックを構成する電池セルについて説明する。
【００１５】
図１Ａは、電池セル１０の正面側から見た斜視図、図１Ｂは、その背面側から見た斜視図である。電池セル１０は、平面視形状が略矩形であり、当該略矩形の縦横寸法に比べて厚みが薄い薄板形状を有する。この電池セル１０では、ラミネートシート１３からなる外装内に、略矩形の平面視形状を有する薄板状の発電要素（図示せず）が電解液とともに封入されている。発電要素は、正極集電体の所定領域の両面に正極活物質を含む正極合剤層が塗布形成された正極と、負極集電体の所定領域の両面に負極活物質を含む負極合剤層が塗布形成された負極とが、セパレータを介して交互に積層されてなる電極積層体である。電池の種類は特に制限はないが、二次電池、中でもリチウムイオン二次電池が好ましい。
【００１６】
ラミネートシート１３は、発電要素に比べて薄く、且つ、可撓性を有している。ラミネートシート１３は、例えば、アルミニウム等からなる基層の、発電要素に対向する側の面に熱融着性樹脂層（例えば変性ポリオレフィン層）が積層された可撓性を有する多層シートであってもよい。１枚の矩形のラミネートシート１３が、発電要素を挟むように下辺（一方の短辺）１４ｂで二つ折りにされ、下辺１４ｂ以外の三辺に沿って重ね合わされてヒートシール法などによりシールされている。
【００１７】
下辺１４ｂに対向する上辺（他方の短辺）１４ａから、正極タブ１１ｐ及び負極タブ１１ｎが導出されている。正極タブ１１ｐ及び負極タブ１１ｎは、短冊形状を有し、上辺１４ａに対して直交する方向（即ち、上辺１４ａに隣接する一対の側辺（長辺）１４ｓと平行な方向）に沿って延びている。正極タブ１１ｐは、例えばアルミニウムの薄板からなり、発電要素を構成する複数の正極集電体（図示せず）と電気的に接続されている。また、負極タブ１１ｎは、例えば銅の薄板、ニッケルメッキされた銅の薄板、または銅／ニッケルのクラッド材等からなり、発電要素を構成する複数の負極集電体（図示せず）と電気的に接続されている。
【００１８】
図１Ａに示されているように、発電要素に対応する長方形の領域１６が電池セル１０の三辺１４ａ，１４ｓ，１４ｓに沿ったラミネートシート１３のシール領域に対して突出している。領域１６が突出した面を、電池セル１０の「正面」と呼ぶ。一方、図１Ｂに示されているように、略一平面をなす、正面とは反対側の面を、電池セル１０の「裏面」と呼ぶ。
【００１９】
本発明において、電池セルの構成は上記に限定されない。例えば、発電要素を２枚の矩形状のラミネートシートで挟み、４辺に沿って２枚のラミネートシートをシールした四方シールタイプの電池セルであってもよい。
【００２０】
＜電池積層体＞
図２は、本発明の一実施形態にかかる電池パックを構成する電池積層体２０の分解斜視図である。電池積層体２０は、複数の電池セル１０が積層されて構成される。電池セル１０が積層される方向（図２において横方向）を「積層方向」と呼ぶ。図２に示されているように、複数の電池セル１０は、隣り合う２つの電池セル１０間において異極のタブ（即ち正極タブ１１ｐと負極タブ１１ｎ）同士が積層方向に互いに対向するように、１つおきの電池セル１０は裏返されている。二点鎖線２３で示すように、積層方向に対向する正極タブ１１ｐと負極タブ１１ｎとが電気的に接続される。その結果、複数の電池セル１０が直列に接続される。異極タブと接続されない両端の正極タブ１１ｐ’及び負極タブ１１ｎ’は、電池積層体２０に対して電力の入出力を行う入出力タブとなる。
【００２１】
図３は、電池積層体２０の斜視図である。本実施形態の電池積層体２０は直列に接続された１４個の電池セル１０で構成されている。図示を省略しているが、隣り合う電池セル１０間に、薄い板材を介在させてもよい。板材の材料は任意であるが、例えば電池セル１０間の絶縁性を向上させる目的であればポリカーボネート等の絶縁性を有する樹脂材料を用いることができ、放熱性を向上させる目的であれば銅、アルミニウムなどの熱伝導性に優れた金属材料を用いることができる。隣り合う電池セル１０（更には、その間の板材）は、例えば両面粘着テープを用いて一体化されている。
【００２２】
積層方向に対向する正極タブ１１ｐと負極タブ１１ｎとが電気的に接続されてタブ接続部１１ｃを形成している。本実施形態の電池積層体２０は、１３個のタブ接続部１１ｃを有している。入出力用正極タブ１１ｐ’と入出力用負極タブ１１ｎ’とを結ぶ直線に沿って６個のタブ接続部１１ｃが配置され、この直線と平行な直線に沿って７個のタブ接続部１１ｃが配置されている。１３個のタブ接続部１１ｃのそれぞれに、電圧監視用の配線（後述する図５に示された配線２２）が接続される。タブ接続部１１ｃは、図３において下向きに折り返されてもよい。
【００２３】
＜電池パック＞
図４は本発明の一実施形態にかかる電池パック１の斜視図、図５は電池パック１の分解斜視図である。以下の説明の便宜のために、図４の紙面の上下方向を電池パック１の「上下方向」と呼び、上下方向と垂直な方向を「水平方向」と呼ぶ。但し、この「上下方向」及び「水平方向」は、電池パック１の実際の使用時の向きを意味するものではない。
【００２４】
図５に示されているように、上方が開口した中空の略直方体形状を有する筐体３０内に、電池積層体２０が収納されている。２１ｐは、電池積層体２０の入出力用正極タブ１１ｐ’（図３参照）に接続された短冊状の正極リードであり、２１ｎは、電池積層体２０の入出力用負極タブ１１ｎ’（図３参照）に接続された短冊状の負極リードである。２２は、電池積層体２０のタブ接続部１１ｃ（図３参照）に接続された電圧監視用の配線（ワイヤ）である。図５では、図面を簡単化するために、電池積層体２０を構成する電池セル１０やこれから上方に向かって導出された正極タブ１１ｐ及び負極タブ１１ｎの図示を省略し、電池積層体２０の上面を単なる一平面で示している。
【００２５】
筐体３０の上側の開口を塞ぐように、回路基板４０が筐体３０に嵌入され固定される。図６は回路基板４０の平面図である。回路基板４０は、略矩形の平面視形状を有する板状部材である。回路基板４０の電池積層体２０とは反対側の面（上面）には、保護回路（例えばＩＣ）４１、複数（本実施形態では１３個）の端子４２、正極端子４５ｐ、負極端子４５ｎ、入出力用端子ボックス４７等が搭載されている。端子４２、正極端子４５ｐ、負極端子４５ｎ、端子ボックス４７は、回路基板４０上又は回路基板４０内に形成された配線回路（図示せず）を介して保護回路４１に接続されている。
【００２６】
１３個の端子４２のうちの６個が回路基板４０の側端４０ａに沿って一定ピッチで配置され、残りの７個が側端４０ａとは反対側の側端４０ｂに沿って一定ピッチで配置されている。１３個の略Ｌ字形状の切り欠き４３が、回路基板４０に形成されている。切り欠き４３と端子４２とは一対一に対応し、切り欠き４３は対応する端子４２の近傍に形成されている。各切り欠き４３は、回路基板４０の側端４０ａ又は４０ｂに開口している。電圧監視用の配線２２は、切り欠き４２に係止されて回路基板４０より上側に案内され、端子４２に接続される（後述する図８参照）。配線２２と端子４２との接続方法は任意である。本実施形態では、配線２２の末端（上端）に取り付けられたオス型コネクタ（図示せず）をメス型コネクタとして機能する端子４２に挿入することで、配線２２と端子４２とが接続される。但し、これ以外の方法、例えばはんだ付けによる方法など公知の方法を用いることもできる。
【００２７】
正極リード２１ｐ及び負極リード２１ｎは、回路基板４０を貫通するスリット状の開口４６ｐ及び開口４６ｎに貫挿され、正極端子４５ｐ及び負極端子４５ｎにそれぞれ接続される。
【００２８】
端子ボックス４７は、図示していないが正極端子及び負極端子を備え、電池パック１に対して電力の入出力を行うために使用される。
【００２９】
図５に戻り、カバー５０が、回路基板４０の上方からかぶせられ、筐体３０に固定される。図４に示すように、回路基板４０はカバー５０で覆われる。
【００３０】
図７は、カバー５０の下面（回路基板４０に対向する面）側から見た斜視図である。カバー５０の天板５３から複数（本実施形態では１１枚）の仕切板５１が立設されている。５枚の仕切板５１がカバー５０の上下方向に平行な側壁５０ａに沿って一定ピッチで配置され、６枚の仕切板５１がカバー５０の側壁５０ａに対向する側壁５０ｂに沿って一定ピッチで配置されている。仕切板５１のピッチは、回路基板４０に設けられた端子４２のピッチと同じである。
【００３１】
側壁５０ａに沿った５枚の仕切板５１は、いずれも側壁５０ａに接続され、且つ、側壁５０ａに対して垂直である。この５枚の仕切板５１をつなぐ衝立板５２ａが、側壁５０ａに対向し且つこれと平行に、天板５３から立設されている。衝立板５２ａと側壁５０ａとの間に、５枚の仕切板５１によって区画された６つの空間５５が形成されている。
【００３２】
同様に、側壁５０ｂに沿った６枚の仕切板５１は、いずれも側壁５０ｂに接続され、且つ、側壁５０ｂに対して垂直である。この６枚の仕切板５１をつなぐ衝立板５２ｂが、側壁５０ｂに対向し且つこれと平行に、天板５３から立設されている。衝立板５２ｂと側壁５０ｂとの間に、６枚の仕切板５１によって区画された７つの空間５５が形成されている。
【００３３】
図８は、側壁５０ａ側から見た端子４２、切り欠き４３、配線２２、仕切板５１等を示した拡大斜視図である。カバー５０内のこれらの部材を示すため、側壁５０ａ及び天板５３の一部を切り欠いている。
【００３４】
仕切板５１の下端と回路基板４０とはわずかに離間している。仕切板５１によって画定された各空間５５に対応して、端子４２及び切り欠き４３が各１つ配置されている。配線２２が切り欠き４３に係止されて回路基板４０の下側から上側に向かって延び、下向きに湾曲されて端子４２に接続されている。配線２２のうち少なくとも湾曲した部分は空間５５内に収納されている。
【００３５】
詳細な説明を省略するが、側壁５０ａに対向する側壁５０ｂ側の端子４２、切り欠き４３、配線２２、仕切板５１等の構成も、図８と同じである。
【００３６】
＜作用＞
本実施形態の電池パック１の作用を、比較例にかかる電池パックと比較しながら説明する。
【００３７】
図９は、比較例にかかる電池パックに使用されるカバー１５０の下面（回路基板４０に対向する面）側から見た斜視図である。図９において、図７に示した部材と同じ部材には同一の符号を付してある。図９を本発明の一実施形態にかかるカバー５０を示した図７と比較すれば容易に理解できるように、比較例のカバー１５０には、カバー５０に形成されていた仕切板５１及び衝立板５２ａ，５２ｂが形成されていない。比較例の電池パックでは、本発明の電池パック１においてカバー５０に代えてカバー１５０が用いられる。
【００３８】
図１０は、比較例にかかる電池パックの側壁５０ａ側から見た端子４２、切り欠き４３、配線２２等を図８と同様に示した拡大斜視図である。図１０において、図８に示した部材と同じ部材には同一の符号を付してある。図１０を図８と比較すれば容易に理解できるように、図１０では図８に示された仕切板５１及び衝立板５２ａが存在しない。これを除いて図１０は図８と同じである。
【００３９】
上述したように、電池パックの搬送時や輸送時に電池パックに振動や衝撃が加えられることがある。このような振動や衝撃により筐体３０内で電池積層体２０が移動することがあり、これにより、配線２２が変位したり、配線２２に張力が印加されたりする。その結果、配線２２が破断することがある。
【００４０】
図１１は、図１０に示した比較例にかかる電池パックにおいて、配線２２と端子４２との接続部分において１本の配線２２が破断した状態を示した切り欠き斜視図である。上述したように、配線２２は曲げ変形させられて端子４２に接続されている。配線２２が破断すると、曲げ変形されていた配線２２が弾性回復し、図１１に示すようにその隣の配線２２に接触し、短絡が生じることがある。電圧監視用の配線２２同士が短絡すると、電池セル１０が異常発熱し、最悪の場合には発煙や発火に至る。また、図示を省略するが、短絡した配線２２が、回路基板４０上に搭載された部品や回路基板４０上に形成された配線回路に接触することもあり、このような場合も、短絡によって電池セル１０の異常発熱を生じうる。
【００４１】
これに対して、本発明の電池パック１では、図８に示したように、仕切板５１によって画定された空間５５内に配線２２の一部が収納されている。従って、図１２に示すように、１本の配線２２が破断したとしても、破断した配線２２は仕切板５１に衝突してその変位が制限され、当該配線２２に対応する空間５５より外にはみ出すことはない。従って、破断した配線２２がその隣の配線２２や端子４２等に接触して短絡事故が生じる可能性は低い。また、衝立板５２ａも破断した配線２２の変位を制限するので、破断した配線２２が周囲の部品や配線回路等に接触して短絡事故が生じる可能性は低い。
【００４２】
以上のように、本発明の電池パック１では、カバー５０の回路基板４０に対向する面に仕切板５１が形成されている。仕切板５１によって、カバー５０内に複数の空間（小部屋）５５が形成される。空間５５は配線２２に一対一に対応する。端子４２に接続された１本の配線２２の一部が、当該配線２２に対応する１つの空間５５内に収納される。従って、当該配線２２が破断しても、配線２２が仕切板５１を超えて空間５５外に水平方向にはみ出すことがない。よって、配線２２の破断に起因する短絡事故の発生を防止することができるのである。
【００４３】
回路基板４０には、複数の配線２２をそれぞれ係止する複数の切り欠き４３が形成されている。切り欠き４３は、配線２２の水平方向（回路基板４０と平行な方向）の位置を規制する位置規制機構として機能し、配線２２が破断しても、当該配線２２の位置を規制し続ける。従って、位置規制機構は、破断した配線２２が対応する空間５５外に水平方向にはみ出す可能性を低減させるのに有利である。
【００４４】
上記の実施形態は例示にすぎない。本発明は上記の実施形態に限定されず、種々に変更することができる。
【００４５】
配線２２が収納される空間５５を画定する仕切板の構成は、配線２２及び端子４２の回路基板４０上の配置に応じて適宜変更することができる。上方から見たとき配線２２、端子４２及び空間５５は、上記の実施形態のように一直線上に配置されている必要はない。例えば配線２２及び端子４２が格子点上に配置されている場合には、仕切板を格子状に配置することができる。
【００４６】
上記の実施形態では、カバー５０の側壁５０ａ，５０ｂ及び衝立板５２ａ，５２ｂも空間５５を画定するのに寄与しているが、側壁５０ａ，５０ｂ及び衝立板５２ａ，５２ｂが空間５５を画定する必要はない。即ち、上記の実施形態において、仕切板５５は側壁５０ａ，５０ｂから離間していていてもよい。また、衝立板５２ａ，５２ｂを省略してもよい。
【００４７】
仕切板のカバー５０の天板５３からの突出高さは任意である。破断した配線２２に起因する短絡を防止できるのであれば、仕切板が、天板５３からの突出高さが低いリブ状の突起であってもよい。また、回路基板４０上に搭載された部品に仕切板が衝突しない場合には、仕切板の下端が回路基板４０に接触してもよい。
【００４８】
配線２２の水平方向の位置を規制する位置規制機構の構成は、上記の略Ｌ字状の切り欠き４３に限定されない。例えば、略Ｌ字形状以外の任意の形状の切り欠きであってもよい。あるいは、切り欠き４３に代えて、回路基板４０の側端に開口していない貫通孔であってもよい。共通する１つの位置規制機構によって複数の配線２２の水平方向における位置が規制されてもよい。配線２２を回路基板４０の電池積層体２０側からその反対側に案内するために回路基板４０に形成された切り欠き又は貫通孔が、実質的に配線２２の位置規制機能を有しないほどに大きな寸法を有していてもよい。回路基板４０の寸法を、筐体３０の上側の開口寸法より小さくすることにより、配線２２を案内するための切り欠き４３を省略してもよい。
【００４９】
本発明の電池パックが備える電池積層体の構成は上記の実施形態に限定されない。電池積層体を構成する電池セル１０の数は、上記の実施形態より多くてもよく、また、少なくてもよい。電池セル１０の数に応じて、配線２２、端子４２、空間５５の数が変更される。
【産業上の利用可能性】
【００５０】
本発明の利用分野は特に制限はなく、自動車、バイク、電動アシスト自転車等の各種移動機器、携帯情報端末、無停電電源装置（ＵＰＳ）、蓄電装置等の電源に使用される電池パックとして広範囲に利用することができる。
【符号の説明】
【００５１】
１  電池パック
１０  電池セル
２０  電池積層体
２２  電圧監視用の配線
４０  回路基板
４２  端子
４３  切り欠き（位置規制機構）
５０  カバー
５１  仕切板
５２ａ，５２ｂ  衝立板
５５  空間
【図１】
2014235933.tif 000003
【図２】
2014235933.tif 000004
【図３】
2014235933.tif 000005
【図４】
2014235933.tif 000006
【図５】
2014235933.tif 000007
【図６】
2014235933.tif 000008
【図７】
2014235933.tif 000009
【図８】
2014235933.tif 000010
【図９】
2014235933.tif 000011
【図１０】
2014235933.tif 000012
【図１１】
2014235933.tif 000013
【図１２】
2014235933.tif 000014